(57)【特許請求の範囲】
【請求項１】
第１の通信網を介して行われるファクシミリ通信により画情報を送信する第１の画情報送信手段と、
接続された画情報送信機能装置を用いて前記第１の通信網の通信形態とは異なる第２の通信網を介して行われるファクシミリ通信により画情報を送信する第２の画情報送信手段と、
電源供給が停止された状態から電源供給が開始されて通常稼働状態となった場合に、送信未完了の画情報の再送を制御する再送制御手段と、
を具備し、
前記再送制御手段は、
前記第１の画情報送信手段による画情報の送信が有効であるかを判断する判断手段と、
前記判断手段によって前記第１の画情報送信手段による画情報の送信が有効でないと判断され、かつ前記画情報送信機能装置が接続されていないときには、前記第１の画情報送信手段および前記第２の画情報送信手段による前記送信未完了の画情報の送信を禁止する禁止手段と
を具備する画像形成装置。
【請求項２】
前記画情報は、
送信に用いる通信網を識別する識別情報を含み、
前記再送制御手段は、
前記判断手段によって第１の画情報送信手段が有効であると判断された場合は、前記送信未完了の画像情報のうち当該画情報に含まれる識別情報が第１の通信網である画情報を前記第１の画情報送信手段を用いて再送する請求項１記載の画像形成装置。
【請求項３】
前記再送制御手段は、
前記送信未完了の画像情報のうち当該画情報に含まれる識別情報が第２の通信網である画情報を前記第２の画情報送信手段を用いて再送する請求項２記載の画像形成装置。
【請求項４】
第１の通信網を介して行われるファクシミリ通信により画情報を送信する第１の画情報送信手段と、
接続された画情報送信機能装置を用いて前記第１の通信網の通信形態とは異なる第２の通信網を介して行われるファクシミリ通信により画情報を送信する第２の画情報送信手段と、
送信未完了の画情報を記憶する記憶手段と、
前記第１の画情報送信手段による画情報の送信が有効であるかを判断する第１の判断手段と、
前記画情報送信機能装置が接続されているかを判断する第２の判断手段と、
電源供給が停止された状態から電源供給が開始されて通常稼働状態となった場合に、前記第１の判断手段によって前記第１の画情報送信手段による画情報の送信が有効であると判断された場合若しくは前記第２の判断手段により前記画情報送信機能装置が接続されていると判断された場合は、前記記憶手段に記憶された送信未完了の画像情報を再送を制御し、前記第１の判断手段によって前記第１の画情報送信手段による画情報の送信が有効でないと判断され、かつ前記第２の判断手段により前記画情報送信機能装置が接続されていないと判断された場合は、前記記憶手段に記憶された送信未完了の画情報の再送を禁止するように制御する再送制御手段と
を具備する画像形成装置。
【請求項５】
コンピュータを、
第１の通信網を介して行われるファクシミリ通信により画情報を送信する第１の画情報送信手段、
接続された画情報送信機能装置を用いて前記第１の通信網の通信形態とは異なる第２の通信網を介して行われるファクシミリ通信により画情報を送信する第２の画情報送信手段、
前記第１の画情報送信手段による画情報の送信が有効であるかを判断する判断手段、
電源供給が停止された状態から電源供給が開始されて通常稼働状態となった場合に、前記判断手段によって前記第１の画情報送信手段による画情報の送信が有効でないと判断され、かつ前記画情報送信機能装置が接続されていないときには、前記第１の画情報送信手段および前記第２の画情報送信手段による送信未完了の画情報の送信を禁止する禁止手段
として機能させる画像形成プログラム。
【発明の詳細な説明】
【技術分野】
【０００１】
本発明は、画像形成装置および画像形成プログラムに関する。
【背景技術】
【０００２】
画像形成装置においては画像形成処理の処理対象となる対象データを記憶装置の作業領域に一時記憶して処理するが、この状態で電源が切断された場合には、再度、電源が投入されることによりこれらの未処理の対象データに対してリカバリ処理が行なわれる。
【０００３】
特許文献１に記載された従来技術では、画像データを長期保存することを目的とするコピージョブやプリントジョブの保存に際して全てのジョブデータを不揮発性記憶部に保存し、電源投入時にジョブデータが不揮発性記憶部に残っているかを調べ、残っている場合には所定の回復処理を行ない、ジョブの実行完了後にこのジョブデータを不揮発性記憶部から消去している。
【０００４】
また、特許文献２に記載された従来技術では、ジョブの終了時又は所定時間経過時ごとに揮発メモリに記憶されたジョブ管理情報を複製して不揮発性記憶媒体に更新保存し、自装置の起動時に、不揮発性記憶媒体にジョブ管理情報が保存されている場合に、ジョブ管理情報をその不揮発性記憶媒体から揮発メモリに復元してこのジョブ管理情報に基づいて画像形成動作を再開することで、再起動前のジョブ管理状態に復帰させ、再起動後に未完了の出力を再開可能にしている。
【先行技術文献】
【特許文献】
【０００５】
【特許文献１】特開２００５−２９７３２４号公報
【特許文献１】特開２００５−０２２０９９号公報
【発明の概要】
【発明が解決しようとする課題】
【０００６】
本発明は、ファクシミリ通信における全ての通信形態が無効となっている場合に電源投入時の復元ファクシミリ通信処理を禁止することにより全てのファクシミリ通信がエラー終了してしまうことを防止できるようにした画像形成装置および画像形成プログラムを提供することを目的とする。
【課題を解決するための手段】
【０００７】
上記目的を達成するため、請求項１の発明は、第１の通信網を介して行われるファクシミリ通信により画情報を送信する第１の画情報送信手段と、接続された画情報送信機能装置を用いて前記第１の通信網の通信形態とは異なる第２の通信網を介して行われるファクシミリ通信により画情報を送信する第２の画情報送信手段と、電源供給が停止された状態から電源供給が開始されて通常稼働状態となった場合に、送信未完了の画情報の再送を制御する再送制御手段とを具備し、前記再送制御手段は、前記第１の画情報送信手段による画情報の送信が有効であるかを判断する判断手段と、前記判断手段によって前記第１の画情報送信手段による画情報の送信が有効でないと判断され、かつ前記画情報送信機能装置が接続されていないときには、前記第１の画情報送信手段および前記第２の画情報送信手段による前記送信未完了の画情報の送信を禁止する禁止手段とを具備する。
【０００８】
また、請求項２の発明は、請求項１の発明において、前記画情報は、送信に用いる通信網を識別する識別情報を含み、前記再送制御手段は、前記判断手段によって第１の画情報送信手段が有効であると判断された場合は、前記送信未完了の画像情報のうち当該画情報に含まれる識別情報が第１の通信網である画情報を前記第１の画情報送信手段を用いて再送する。
【０００９】
また、請求項３の発明は、請求項２の発明において、前記再送制御手段は、前記送信未完了の画像情報のうち当該画情報に含まれる識別情報が第２の通信網である画情報を前記第２の画情報送信手段を用いて再送する。
【００１０】
また、請求項４の発明は、第１の通信網を介して行われるファクシミリ通信により画情報を送信する第１の画情報送信手段と、接続された画情報送信機能装置を用いて前記第１の通信網の通信形態とは異なる第２の通信網を介して行われるファクシミリ通信により画情報を送信する第２の画情報送信手段と、送信未完了の画情報を記憶する記憶手段と、前記第１の画情報送信手段による画情報の送信が有効であるかを判断する第１の判断手段と、前記画情報送信機能装置が接続されているかを判断する第２の判断手段と、電源供給が停止された状態から電源供給が開始されて通常稼働状態となった場合に、前記第１の判断手段によって前記第１の画情報送信手段による画情報の送信が有効であると判断された場合若しくは前記第２の判断手段により前記画情報送信機能装置が接続されていると判断された場合は、前記記憶手段に記憶された送信未完了の画像情報を再送を制御し、前記第１の判断手段によって前記第１の画情報送信手段による画情報の送信が有効でないと判断され、かつ前記第２の判断手段により前記画情報送信機能装置が接続されていないと判断された場合は、前記記憶手段に記憶された送信未完了の画情報の再送を禁止するように制御する再送制御手段とを具備する。
【００１１】
また、請求項５の発明は、コンピュータを、第１の通信網を介して行われるファクシミリ通信により画情報を送信する第１の画情報送信手段、接続された画情報送信機能装置を用いて前記第１の通信網の通信形態とは異なる第２の通信網を介して行われるファクシミリ通信により画情報を送信する第２の画情報送信手段、前記第１の画情報送信手段による画情報の送信が有効であるかを判断する判断手段、電源供給が停止された状態から電源供給が開始されて通常稼働状態となった場合に、前記判断手段によって前記第１の画情報送信手段による画情報の送信が有効でないと判断され、かつ前記画情報送信機能装置が接続されていないときには、前記第１の画情報送信手段および前記第２の画情報送信手段による送信未完了の画情報の送信を禁止する禁止手段として機能させる。
【発明の効果】
【００１２】
本発明の請求項１によれば、ファクシミリ通信における全ての通信形態が無効となっている場合に電源投入時の復元ファクシミリ通信処理を禁止することにより全てのファクシミリ通信がエラー終了してしまうことを防止できるようになるという効果を奏する。
【００１３】
また、請求項２によれば、各通信機能の通信状態に応じた最適なファクシミリ通信を行なうことができるようになるという効果を奏する。
【００１４】
また、請求項３によれば、各通信機能の通信状態に応じた最適なファクシミリ通信を行なうことができるようになるという効果を奏する。
【００１５】
また、請求項４によれば、ファクシミリ通信における全ての通信形態が無効となっている場合に電源投入時の復元ファクシミリ通信処理を禁止することにより全てのファクシミリ通信がエラー終了してしまうことを防止できるようになるという効果を奏する。
【００１６】
また、請求項５によれば、ファクシミリ通信における全ての通信形態が無効となっている場合に電源投入時の復元ファクシミリ通信処理を禁止することにより全てのファクシミリ通信がエラー終了してしまうことを防止できるようになるという効果を奏する。
【図面の簡単な説明】
【００１７】
【図１】本発明の実施の形態における画像形成装置および画像形成プログラムを適用して構成した画像形成システムのシステム構成図の一例。
【図２】本発明の実施の形態における画像形成装置であるデュアル通信ファクシミリ装置の詳細な機能構成を示すブロック図。
【図３】本発明の実施の形態における画像形成装置において行なわれる処理の流れを示すフローチャート。
【図４】本発明の実施の形態における画像形成装置において行なわれる処理の流れを示すフローチャート。
【図５】本発明の実施の形態における画像形成装置において行なわれる処理の流れを示すフローチャート。
【図６】本発明の実施の形態における画像形成装置において行なわれる処理の流れを示すフローチャート。
【発明を実施するための形態】
【００１８】
以下、本発明に係わる画像形成装置および画像形成プログラムの一実施例を添付図面を参照して詳細に説明する。
【実施例】
【００１９】
図１は、本発明の実施の形態における画像形成装置および画像形成プログラムを適用して構成した画像形成システムのシステム構成図の一例である。
【００２０】
図１において、画像形成システムは、ＩＰ通信網２００および公衆交換電話網（Ｔ．３８）３００の２つの異なる通信形態による通信網が敷設されている。
【００２１】
このＩＰ通信網２００には、ＩＰファクシミリ装置２００−１、ＩＰファクシミリ装置２００−２、デュアル通信ファクシミリ装置（ＰＳＴＮ：Public Switched Telephone Networks）１００が接続され、公衆交換電話網３００には、デュアル通信ファクシミリ装置１００、公衆交換電話網ファクシミリ装置３００−１、公衆交換電話網ファクシミリ装置３００−２が接続された構成である。
【００２２】
このデュアル通信ファクシミリ装置１００は、ＩＰ通信網２００および公衆交換電話網３００の２つの通信網を介してファクシミリ通信が可能な装置である。
【００２３】
ＩＰ通信網２００は、画情報（以下、「ファクシミリ通信ジョブ」、「通信ジョブ」ともいう）をＩＰペイロードとし、これに転送先情報や送信元情報等からなるヘッダー情報を付加したＩＰパケットを作成し、このＩＰパケットの送受信が可能な通信網であって、このＩＰ通信網２００を介して行なわれるファクシミリ通信を「ＩＰファクシミリ通信」と称する。
【００２４】
また、公衆交換電話網は、一般の加入電話回線の通信網であって、この公衆交換電話網を介して行なわれるファクシミリ通信を「ＰＳＴＮファクシミリ通信」と称する。
【００２５】
デュアル通信ファクシミリ装置１００がＩＰファクシミリ通信を行なうためには「ＩＰファクシミリ機能」を用いる。
【００２６】
このＩＰファクシミリ機能は、デュアル通信ファクシミリ装置１００のＲＯＭやＲＡＭ（図示せず）にインストールされたソフトウェア等により実現され、所定の管理アプリケーションを用いて当該ＩＰファクシミリ機能を「有効」とする設定および「無効」とする設定の切り換えを行なう。
【００２７】
また、デュアル通信ファクシミリ装置１００がＰＳＴＮファクシミリ通信を行なうためには「ＰＳＴＮファクシミリ機能」を用いて行なう。このＰＳＴＮファクシミリ機能は、ファクシミリ通信ボード等によって構成される画情報送信機能装置により提供され、ファクシミリ通信ボードにより提供される場合には、このファクシミリ通信ボードがＵＳＢ（Universal Serial Bus）接続やＰＣＩ（Peripheral Component Interconnect）接続等によりデュアル通信ファクシミリ装置１００と接続される。
【００２８】
このような２つの通信形態のファクシミリ通信を行なうデュアル通信ファクシミリ装置１００は、図２に示すような機能構成からなる。
【００２９】
また、このデュアル通信ファクシミリ装置１００は、ファクシミリ通信における予約通信のほか、ファクシミリ通信における通信ジョブの送信中および送信前に障害等により電源が切断された状態から回復することで通信ジョブを再送することが可能である。
【００３０】
この予約ファクシミリ通信は、予め指定された指定時刻となった後に若しくは予め指定された現在時刻からの経過時間を経過した後に、ＩＰファクシミリ機能若しくはＰＳＴＮファクシミリ機能を用いて行なうファクシミリ通信である。
【００３１】
予約ファクシミリ通信が指定されると、当該予約ファクシミリ通信の通信ジョブをジョブ記憶部へ記憶しておき、指定された時刻となったことを検知すると、ジョブ記憶部に記憶された通信ジョブを指定された通信先のファクシミリ装置へファクシミリ通信する。
【００３２】
また、再送を行なう場合は、電力投入により電源が回復した場合にジョブ記憶部に記憶された通信ジョブを指定された通信先のファクシミリ装置へファクシミリ通信することで再送する。
【００３３】
図２は、本発明の実施の形態における画像形成装置であるデュアル通信ファクシミリ装置１００の詳細な機能構成を示すブロック図である。
【００３４】
図２において、デュアル通信ファクシミリ装置１００は、受信部１０、ジョブ判断制御部１１、読取部１２、ユーザインターフェース１３、ジョブ記憶部１４、ＰＳＴＮファクシミリ送信部１５、リカバリ処理部１６、通信可否判定部１７、設定部１８、ＩＰファクシミリ送信部１９、予約制御部２０を具備して構成される。
【００３５】
受信部１０は、ＩＰ通信網、公衆交換電話網等の通信回線が接続されており、当該通信回線を介して宛先となるファクシミリ装置が指定された処理対象データを受信する。
【００３６】
そして、受信部１０では、受信した処理対象データをジョブ判断制御部１１へと通知する。この処理対象データには、例えばヘッダ等の付加情報に宛先情報（ノードＩＤやファクシミリ電話番号等の宛先情報）のほかファクシミリ設定情報等が指定されている。
【００３７】
この受信部１０から処理対象データを受信したジョブ判断制御部１１では、通知された処理対象データがＩＰファクシミリ通信によるものであるか、ＰＳＴＮファクシミリ通信によるものであるかを判断する。また同時に、ジョブ判断制御部１１では、受信した処理対象データに予約ファクシミリ送信が指定されているか否かを判断する。
【００３８】
予約ファクシミリ送信が指定されている場合、ジョブ判断制御部１１は、処理対象データの通信形態ごとにジョブ記憶部１４へその処理対象データを記憶するとともに、予約制御部２０に対して、ジョブ記憶部１４に予約ファクシミリ送信が指定された処理対象データを記憶したことおよび予約ファクシミリ送信を行う時間情報を通知する。
【００３９】
このときのジョブ記憶部１４では、通信形態ごとに異なる作業領域が設けられており、ＩＰ通信網を用いたＩＰファクシミリ通信における通信形態の処理対象データである場合には「ＩＰ−ＦＡＸジョブ作業領域」へ当該処理対象データを未送信の通ジョブとして記憶し、公衆交換電話網を用いたＰＳＴＮファクシミリ通信における通信形態の処理対象データである場合には「ＰＳＴＮ−ＦＡＸジョブ作業領域」へ当該処理対象データを未送信の通ジョブとして記憶する。
【００４０】
また、予約制御部２０は、ジョブ判断制御部１１から通知された予約ファクシミリ送信を行う時間情報により指定された指定時刻となるまで計時し、当該指定時刻となることによりジョブ記憶部１４に記憶された処理対象データを取得する。
【００４１】
そして、予約制御部２０は、取得した処理対象データのヘッダ等よって指定された宛先のＩＰファクシミリ装置若しくは公衆交換電話ファクシミリ装置へ送信するために、当該処理対象データをＩＰファクシミリ送信部１９若しくはＰＳＴＮファクシミリ送信部１５へと送信する。
【００４２】
このとき、ＩＰファクシミリ送信部１９若しくはＰＳＴＮファクシミリ送信部１５は、処理対象データのヘッダ等により指定された宛先となるＩＰファクシミリ装置若しくは公衆交換電話ファクシミリ装置へファクシミリ送信する。
【００４３】
また、ジョブ判断制御部１１によって予約ファクシミリ送信が指定されていないと判断する場合であって、ＩＰファクシミリ通信の通信形態によるファクシミリ通信であると判断される場合には受信した処理対象データをＩＰファクシミリ送信部１９へと送出する。それに対して、ＰＳＴＮファクシミリ通信の通信形態によるファクシミリ通信であると判断される場合には受信した処理対象データをＰＳＴＮファクシミリ送信部１５へと送出する。
【００４４】
このとき、ＩＰファクシミリ送信部１９はＩＰ通信網を介して接続された宛先のＩＰファクシミリ装置へファクシミリ送信し、ＰＳＴＮファクシミリ送信部１５は公衆交換電話網を介して接続された宛先の公衆交換電話網ファクシミリ装置へとファクシミリ送信する。
【００４５】
このＩＰファクシミリ送信部１９においてＩＰ通信網を介したＩＰファクシミリ通信を行なうＩＰファクシミリ機能は設定部１８による「有効」とする設定若しくは「無効」とする設定により切り換えて設定することができる。
【００４６】
設定部１８は、管理アプリケーションにより提供され、ＵＳＢ回線やＬＡＮ回線などによって接続された情報処理端末（例えば、モバイルＰＣ等）の表示ディスプレイのほか、ユーザインターフェース１５に、ＩＰファクシミリ機能を「有効」とするか「無効」とするかを設定する画面を表示することで操作者による設定を可能とする。
【００４７】
次に、リカバリ処理部１６は、ジョブ記憶部１４に処理対象データが記憶された状態で電源供給が停止した場合に、ジョブ記憶部１４に記憶された処理対象データのファクシミリ送信を復元する復元処理を行なう。
【００４８】
ジョブ記憶部１４に処理対象データが記憶された状態とは、未完了の処理対象データがジョブ記億部１４に存在する状態であって、予約ファクシミリ送信が指定されていることで指定時刻となるまで記憶されている状態を含む。
【００４９】
このリカバリ処理部１６では、電源供給が停止された状態から電源供給が開始されて通常稼動状態となると、ジョブ記憶部１４にいずれかの通信形態のファクシミリ送信を行なう処理対象データが記憶されているかを判断する。
【００５０】
処理対象データが記憶されていない場合には復元処理を行なわないが、電源供給が開始されて通常稼動状態となった際にいずれかの通信形態における処理対象データが記憶されている場合には通信可否判定部１７に対してＩＰファクシミリ送信部１９を用いたＩＰファクシミリ機能が有効となっているかの確認要求を行なう。
【００５１】
なお、予約ファクシミリ送信を行なう処理対象データであって指定時刻を計時していないと判断できる場合には電源供給が開始されて通常稼動状態となったことによる復元処理を行なわないとすることも可能である。この場合、予約制御部２０では電源供給が停止された状態においても不揮発性メモリ等に予約ファクシミリ送信における指定時刻の情報を保存しておく。
【００５２】
このとき、通常稼動状態となった際に、予約ファクシミリ送信の指定時刻を経過している処理対象データを記憶している場合や予約ファクシミリ送信が指定されていない処理対象データを記憶している場合に、その処理対象データに対する復元処理を行なう。
【００５３】
確認要求を受信した通信可否判定部１７では、設定部１８により設定されたＩＰファクシミリ送信部１９を用いたＩＰファクシミリ機能が「有効」となっていることによりＩＰファクシミリ通信が可能であるか否かを判定する。
【００５４】
そして、この通信可否判定部１７による判定結果をリカバリ処理部１６へと応答する。
【００５５】
判定結果を受信したリカバリ処理部１６では、設定部１８によってＩＰファクシミリ機能が「有効」となっていることでＩＰファクシミリ通信が可能であるとの判定結果を受信すると、通信可否判定部１７におけるＰＳＴＮファクシミリ送信部１５におけるファクシミリ通信の可否を判定することなく、ジョブ記憶部１４に記憶された処理対象データのファクシミリ送信を行なう。
【００５６】
このとき、ジョブ記憶部１４に記憶された処理対象データがＩＰファクシミリ送信部１９を用いたＩＰファクシミリ通信によるもののみである場合には、その処理対象データがＩＰファクシミリ送信部１９を介してＩＰファクシミリ送信される。
【００５７】
また、ジョブ記憶部１４に記憶された処理対象データにＰＳＴＮファクシミリ送信部１５を用いたＰＳＴＮファクシミリ通信によるものが含まれる場合であって、ＰＳＴＮファクシミリ送信部１５を構成するファクシミリ通信ボードが接続されていることによりＰＳＴＮファクシミリ機能が「有効」となっているときにはその処理対象データを公衆交換電話網を介して公衆交換電話ファクシミリ装置へとファクシミリ送信する。
【００５８】
また、ファクシミリ通信ボードが接続されていないことによりＰＳＴＮファクシミリ機能が「無効」となっているときには、ユーザインターフェース１３の表示部にＰＳＴＮファクシミリ機能を用いた公衆交換電話ファクシミリ送信ができない旨を表示する。
【００５９】
上記のように、設定部１８によってＩＰファクシミリ機能が「有効」となっていることが通信可否判定部１７により判定された結果をリカバリ処理部１６が受信するのではなく、ＩＰファクシミリ機能が「無効」となっている判定結果を通信可否判定部１７から受信した場合には、続いて、リカバリ処理部１６が処理可否判定部１７に対して、ＰＳＴＮファクシミリ送信部１５によるＰＳＴＮファクシミリ機能が有効となっているかの確認要求を行なう。
【００６０】
処理可否判定部１７によってＰＳＴＮファクシミリ送信部１５を構成するファクシミリ通信ボードが接続されていること等によりＰＳＴＮファクシミリ機能が「有効」となっていることが応答された場合、リカバリ処理部１６では、ＰＳＴＮファクシミリ送信部１５へと処理対象データを送出する。
【００６１】
それに対して、リカバリ処理部１６が、処理可否判定部１７からＰＳＴＮファクシミリ機能が「無効」となっていることが応答された場合には、ＩＰファクシミリ機能およびＰＳＴＮファクシミリ機能のいずれの機能を用いたファクシミリ送信を禁止する。
【００６２】
図３は、本発明の実施の形態における画像形成装置において行なわれる処理の流れを示すフローチャートである。
【００６３】
図３において、電源供給が停止した状態から電源供給が開始されて通常稼動状態となった画像形成装置では、ジョブ記憶部に未送信であって未完了のファクシミリ送信の対象であるジョブ（処理対象データ）が記憶されているかを判断する（３０１）。
【００６４】
処理対象データが記憶されていない場合（３０１でＮＯ）には、通常稼動状態を継続して本フローチャートにおける処理を終了する。
【００６５】
また、処理対象データがジョブ記憶部に記憶されていると判断される場合（３０１でＹＥＳ）には、続いて、ＩＰファクシミリ機能が「有効」に設定されているかを判断する（３０２）。
【００６６】
ＩＰファクシミリ機能が「有効」に設定されている場合（３０２でＹＥＳ）には、当該ＩＰファクシミリ機能を用いて処理対象データをＩＰ通信網を介して宛先となるＩＰファクシミリ装置にＩＰファクシミリ送信するリカバリ処理を行なう（３０３）。
【００６７】
このとき、ＩＰファクシミリ送信が正常に完了したかを判断し（３０４）、ＩＰファクシミリ送信が正常に完了しなかったと判断された場合（３０４でＮＯ）、例えば、ジョブ記憶部の「ＩＰ−ＦＡＸジョブ作業領域」に処理対象データが記憶されていない場合には、ＩＰファクシミリ機能を用いたＩＰファクシミリ送信がエラーとなったことを表示器に表示する（３０５）。
【００６８】
それに対して、ジョブ記憶部の「ＩＰ−ＦＡＸジョブ作業領域」に処理対象データが記憶されており、当該処理対象データのＩＰファクシミリ送信が正常に完了したと判断した場合（３０４でＹＥＳ）、およびＩＰファクシミリ送信がエラーとなったことを表示すると、続いて、ＰＳＴＮファクシミリ機能が「有効」であるか「無効」であるかを判定せずに、ＰＳＴＮファクシミリ機能を用いて公衆交換電話網を介したＰＳＴＮファクシミリ送信を行なうリカバリ処理を行なう（３０６）。
【００６９】
ＰＳＴＮファクシミリ機能を用いてＰＳＴＮファクシミリ送信が正常に完了したかを判断する（３０７）。
【００７０】
ジョブ記憶部の「ＰＳＴＮ−ＦＡＸジョブ作業領域」に処理対象データが記憶され、宛先となるＰＳＴＮファクシミリ装置にその処理対象データがファクシミリ送信できた場合（３０７でＹＥＳ）には、本フローチャートの処理を終了する。もちろん、その後、ファクシミリ送信を行なった宛先情報および送信日時情報および送信結果等からなる履歴情報を記録するような構成であってもよい。
【００７１】
なお、「ＰＳＴＮ−ＦＡＸジョブ作業領域」に処理対象データが記憶されていない場合についても、ＰＳＴＮファクシミリ送信が行なわれず、エラーとなっていないことから正常に完了したものとする。
【００７２】
それに対して、宛先となるＰＳＴＮファクシミリ装置にジョブ記憶部の「ＰＳＴＮ−ＦＡＸジョブ作業領域」で記憶する処理対象データがファクシミリ送信できない場合若しくはＰＳＴＮファクシミリ機能を提供するファクシミリボードが接続されていない場合（３０７でＮＯ）には、ＰＳＴＮファクシミリ送信がエラーとなったことを表示器に表示する（３０８）。
【００７３】
以上に示すような、ＩＰファクシミリ機能が「有効」に設定されている場合とは逆に、ＩＰファクシミリ機能が「無効」に設定されている場合（３０２でＮＯ）には、続いて、ＰＳＴＮファクシミリ機能を提供するファクシミリボードが接続されていることにより当該ＰＳＴＮファクシミリ機能が「有効」となっているかを判断する（３０９）。
【００７４】
ファクシミリボードが接続されていないこと等によりＰＳＴＮファクシミリ機能が「無効」と設定されている場合（３０９でＮＯ）には、ＩＰファクシミリ機能およびＰＳＴＮファクシミリ機能のいずれのファクシミリ機能を実行することなく本フローチャートの処理を終了する。
【００７５】
それに対して、ファクシミリボードが接続されていること等によりＰＳＴＮファクシミリ機能が「有効」と設定されている場合（３０９でＹＥＳ）には、ＰＳＴＮファクシミリ機能を用いて公衆交換電話網を介したＰＳＴＮファクシミリ送信を行なうリカバリ処理を行なう（３０６）。
【００７６】
そして、ＰＳＴＮファクシミリ機能を用いてＰＳＴＮファクシミリ送信が正常に完了したかを判断し（３０７）、ジョブ記憶部の「ＰＳＴＮ−ＦＡＸジョブ作業領域」に処理対象データが記憶され、宛先となるＰＳＴＮファクシミリ装置にその処理対象データがファクシミリ送信できた場合（３０７でＹＥＳ）には、本フローチャートの処理を終了する。
【００７７】
それに対して、宛先となるＰＳＴＮファクシミリ装置にジョブ記憶部の「ＰＳＴＮ−ＦＡＸジョブ作業領域」で記憶する処理対象データがファクシミリ送信できない場合若しくはＰＳＴＮファクシミリ機能を提供するファクシミリボードが接続されていない場合（３０７でＮＯ）には、ＰＳＴＮファクシミリ送信がエラーとなったことを表示器に表示する（３０８）。
【００７８】
図４は、本発明の実施の形態における画像形成装置において行なわれる処理の流れを示すフローチャートである。
【００７９】
図４において、電源供給が停止した状態から電源供給が開始されて通常稼動状態となった画像形成装置では、ジョブ記憶部に未送信であって未完了のファクシミリ送信の対象であるジョブ（処理対象データ）が記憶されているかを判断する（４０１）。
【００８０】
処理対象データが記憶されていない場合（４０１でＮＯ）には、通常稼動状態を継続して本フローチャートにおける処理を終了する。
【００８１】
また、処理対象データがジョブ記憶部に記憶されていると判断される場合（４０１でＹＥＳ）には、続いて、ＰＳＴＮファクシミリ機能を提供するファクシミリボードが接続されて「有効」になっているかを判断する（４０２）。
【００８２】
ＰＳＴＮファクシミリ機能が「有効」に設定されている場合（４０２でＹＥＳ）には、当該ＰＳＴＮファクシミリ機能を用いて処理対象データを公衆交換電話網を介して宛先となるＰＳＴＮファクシミリ装置にＰＳＴＮファクシミリ送信するリカバリ処理を行ない（４０３）、さらにＩＰファクシミリ機能を用いてＩＰファクシミリ送信するリカバリ処理を行なう（４０４）。
【００８３】
続いて、ＰＳＴＮファクシミリ送信が正常に完了したかを判断し（４０５）、ＰＳＴＮファクシミリ送信が正常に完了しなかったと判断された場合（４０５でＮＯ）、例えば、宛先となるＰＳＴＮファクシミリ装置からの応答がない場合には、ＰＳＴＮファクシミリ機能を用いたＰＳＴＮファクシミリ送信がエラーとなったことを表示器に表示する（４０６）。
【００８４】
このとき、「ＰＳＴＮ−ＦＡＸジョブ作業領域」に処理対象データが記憶されていない場合についても、ＰＳＴＮファクシミリ送信が行なわれず、エラーとなっていないことから正常に完了したものとする。
【００８５】
それに対して、ジョブ記憶部の「ＰＳＴＮ−ＦＡＸジョブ作業領域」に処理対象データが記憶され、宛先となるＰＳＴＮファクシミリ装置にその処理対象データがＰＳＴＮファクシミリ送信できた場合（４０５でＹＥＳ）、および、ＰＳＴＮファクシミリ送信ができない場合であって表示器にエラーとなったことを表示すると、続いて、ＩＰファクシミリ機能を用いてＩＰファクシミリ送信が正常に完了したかを判断する（４０７）。
【００８６】
ジョブ記憶部の「ＰＳＴＮ−ＦＡＸジョブ作業領域」に処理対象データが記憶されていない場合や、ＩＰファクシミリ機能が「有効」と設定されていない場合（４０７でＮＯ）には、ＩＰファクシミリ機能を用いたＩＰファクシミリ送信がエラーとなったことを表示器に表示する（４０８）。
【００８７】
それに対して、ジョブ記憶部の「ＩＰ−ＦＡＸジョブ作業領域」に処理対象データが記憶されており、当該処理対象データのＩＰファクシミリ送信が正常に完了したと判断した場合（４０７でＹＥＳ）には、本フローチャートの処理を終了する。もちろん、その後、ファクシミリ送信を行なった宛先情報および送信日時情報および送信結果等からなる履歴情報を記録するような構成であってもよい。
【００８８】
以上に示すような、ＰＳＴＮファクシミリ機能を提供するファクシミリボードが接続されることによってＰＳＴＮファクシミリ機能が有効となっている場合とは逆に、ＰＳＴＮファクシミリ機能を提供するファクシミリボードが接続されていないこと等により「無効」に設定されている場合（４０２でＮＯ）には、続いて、ＩＰファクシミリ機能が「有効」と設定されているかを判断する（４０９）。
【００８９】
ＩＰファクシミリ機能が「有効」と設定されていない場合（４０９でＮＯ）には、ＩＰファクシミリ機能およびＰＳＴＮファクシミリ機能のいずれのファクシミリ機能を実行することなく本フローチャートの処理を終了する。
【００９０】
それに対して、ＩＰファクシミリ機能が「有効」と設定されている場合（４０９でＹＥＳ）には、ＰＳＴＮファクシミリ機能を用いて処理対象データを公衆交換電話網を介して宛先となるＰＳＴＮファクシミリ装置にＰＳＴＮファクシミリ送信するリカバリ処理を行ない（４０３）、さらにＩＰファクシミリ機能を用いてＩＰファクシミリ送信するリカバリ処理を行なう（４０４）。
【００９１】
続いて、ＰＳＴＮファクシミリ送信が正常に完了したかを判断する（４０５）。
【００９２】
この場合、通常は、ＰＳＴＮファクシミリ機能を提供するファクシミリボードが接続されていない等によってＰＳＴＮファクシミリ送信が正常に完了しなかったと判断されることとなる。この場合（４０５でＮＯ）には、ＰＳＴＮファクシミリ機能を用いたＰＳＴＮファクシミリ送信がエラーとなったことを表示器に表示する（４０６）。
【００９３】
続いて、ＩＰファクシミリ機能を用いてＩＰファクシミリ送信が正常に完了したかを判断する（４０７）。
【００９４】
ジョブ記憶部の「ＰＳＴＮ−ＦＡＸジョブ作業領域」に処理対象データが記憶されていない場合や、ＩＰファクシミリ機能が「有効」と設定されていない場合（４０７でＮＯ）には、ＩＰファクシミリ機能を用いたＩＰファクシミリ送信がエラーとなったことを表示器に表示する（４０８）。
【００９５】
それに対して、ジョブ記憶部の「ＩＰ−ＦＡＸジョブ作業領域」に処理対象データが記憶されており、当該処理対象データのＩＰファクシミリ送信が正常に完了したと判断した場合（４０７でＹＥＳ）には、本フローチャートの処理を終了する。
【００９６】
図５は、本発明の実施の形態における画像形成装置において行なわれる処理の流れを示すフローチャートであって、図３に示すフローチャートにおける処理の流れと類似し、図５に示すフローチャートでは、処理対象データの通信形態を識別する処理が行なわれる。
【００９７】
図５において、電源供給が停止した状態から電源供給が開始されて通常稼動状態となった画像形成装置では、ジョブ記憶部に未送信であって未完了のファクシミリ送信の対象であるジョブ（処理対象データ）が記憶されているかを判断する（５０１）。
【００９８】
処理対象データが記憶されていない場合（５０１でＮＯ）には、通常稼動状態を継続して本フローチャートにおける処理を終了する。
【００９９】
また、処理対象データがジョブ記憶部に記憶されていると判断される場合（５０１でＹＥＳ）には、続いて、ＩＰファクシミリ機能が「有効」に設定されているかを判断する（５０２）。
【０１００】
ＩＰファクシミリ機能が「有効」に設定されている場合（５０２でＹＥＳ）には、当該ＩＰファクシミリ機能を用いて処理対象データをＩＰ通信網を介して宛先となるＩＰファクシミリ装置にＩＰファクシミリ送信するリカバリ処理を行なう（５０３）。さらに、ＰＳＴＮファクシミリ機能が「有効」であるか「無効」であるかを判定せずに、ＰＳＴＮファクシミリ機能を用いて公衆交換電話網を介したＰＳＴＮファクシミリ送信を行なうリカバリ処理を行なう（５０４）。
【０１０１】
このとき、ＰＳＴＮファクシミリ機能を用いてＰＳＴＮファクシミリ送信が正常に完了したかを判断する（５０５）。
【０１０２】
ジョブ記憶部の「ＰＳＴＮ−ＦＡＸジョブ作業領域」に処理対象データが記憶され、宛先となるＰＳＴＮファクシミリ装置にその処理対象データがファクシミリ送信できた場合（５０５でＹＥＳ）には、本フローチャートの処理を終了する。もちろん、その後、ファクシミリ送信を行なった宛先情報および送信日時情報および送信結果等からなる履歴情報を記録するような構成であってもよい。
【０１０３】
なお、「ＰＳＴＮ−ＦＡＸジョブ作業領域」に処理対象データが記憶されていない場合についても、ＰＳＴＮファクシミリ送信が行なわれず、エラーとなっていないことから正常に完了したものとする。
【０１０４】
それに対して、宛先となるＰＳＴＮファクシミリ装置にジョブ記憶部の「ＰＳＴＮ−ＦＡＸジョブ作業領域」で記憶する処理対象データがファクシミリ送信できない場合若しくはＰＳＴＮファクシミリ機能を提供するファクシミリボードが接続されていない場合（５０５でＮＯ）には、ＰＳＴＮファクシミリ送信がエラーとなったことを表示器に表示する（５０６）。
【０１０５】
以上に示すような、ＩＰファクシミリ機能が「有効」に設定されている場合とは逆に、ＩＰファクシミリ機能が「無効」に設定されている場合（５０２でＮＯ）には、続いて、ＰＳＴＮファクシミリ機能を提供するファクシミリボードが接続されていることにより当該ＰＳＴＮファクシミリ機能が「有効」となっているかを判断する（５０７）。
【０１０６】
ファクシミリボードが接続されていること等によりＰＳＴＮファクシミリ機能が「有効」となっていない場合（５０７でＮＯ）には、本フローチャートの処理を終了する。また、ＰＳＴＮファクシミリ機能が「有効」となっている場合（５０７でＹＥＳ）には、ジョブ記憶部に記憶された処理対象データの宛先となるファクシミリ装置がＩＰファクシミリ装置であるかＰＳＴＮファクシミリ装置であるかを解析する（５０８）。
【０１０７】
この解析処理の結果、ＰＳＴＮファクシミリ装置を宛先とする処理対象データがジョブ記憶部に記憶されているかを判断し（５０９）、ＰＳＴＮファクシミリ装置を宛先とする処理対象データが記憶されている場合（５０９でＹＥＳ）には、ＰＳＴＮファクシミリ機能を用いて公衆交換電話網を介したＰＳＴＮファクシミリ送信を行なうリカバリ処理を行なう（５０４）。そして、以降、上記と同様の処理を行なう。
【０１０８】
また、ＰＳＴＮファクシミリ装置を宛先とする処理対象データが記憶されていない場合（５０９でＮＯ）には、ＩＰファクシミリ機能およびＰＳＴＮファクシミリ機能のいずれのファクシミリ機能を実行することなく本フローチャートの処理を終了する。
【０１０９】
図６は、本発明の実施の形態における画像形成装置において行なわれる処理の流れを示すフローチャートであって、図４に示すフローチャートにおける処理の流れと類似し、図６に示すフローチャートでは、処理対象データの通信形態を識別する処理が行なわれる。
【０１１０】
図６において、電源供給が停止した状態から電源供給が開始されて通常稼動状態となった画像形成装置では、ジョブ記憶部に未送信であって未完了のファクシミリ送信の対象であるジョブ（処理対象データ）が記憶されているかを判断する（６０１）。
【０１１１】
処理対象データが記憶されていない場合（６０１でＮＯ）には、通常稼動状態を継続して本フローチャートにおける処理を終了する。
【０１１２】
また、処理対象データがジョブ記憶部に記憶されていると判断される場合（６０１でＹＥＳ）には、続いて、ＰＳＴＮファクシミリ機能が「有効」に設定されているかを判断する（６０２）。
【０１１３】
ＰＳＴＮファクシミリ機能が「有効」に設定されている場合（６０２でＹＥＳ）には、当該ＰＳＴＮファクシミリ機能を用いて処理対象データを公衆交換電話網を介して宛先となるＰＳＴＮファクシミリ装置にＰＳＴＮファクシミリ送信するリカバリ処理を行なう（６０３）。さらに、ＩＰファクシミリ機能が「有効」であるか「無効」であるかを判定せずに、ＩＰファクシミリ機能を用いてＩＰ通信網を介したＩＰファクシミリ送信を行なうリカバリ処理を行なう（６０４）。
【０１１４】
このとき、ＩＰファクシミリ機能を用いてＩＰファクシミリ送信が正常に完了したかを判断する（６０５）。
【０１１５】
ジョブ記憶部の「ＩＰ−ＦＡＸジョブ作業領域」に処理対象データが記憶され、宛先となるＩＰファクシミリ装置にその処理対象データがファクシミリ送信できた場合（６０５でＹＥＳ）には、本フローチャートの処理を終了する。もちろん、その後、ファクシミリ送信を行なった宛先情報および送信日時情報および送信結果等からなる履歴情報を記録するような構成であってもよい。
【０１１６】
なお、「ＩＰ−ＦＡＸジョブ作業領域」に処理対象データが記憶されていない場合についても、ＩＰファクシミリ送信が行なわれず、エラーとなっていないことから正常に完了したものとする。
【０１１７】
それに対して、宛先となるＩＰファクシミリ装置にジョブ記憶部の「ＩＰ−ＦＡＸジョブ作業領域」で記憶する処理対象データがファクシミリ送信できない場合若しくはＩＰファクシミリ機能が「有効」と設定されていない場合（６０５でＮＯ）には、ＩＰファクシミリ送信がエラーとなったことを表示器に表示する（６０６）。
【０１１８】
以上に示すような、ＰＳＴＮファクシミリ機能が「有効」に設定されている場合とは逆に、ＰＳＴＮファクシミリ機能を提供するファクシミリボードが接続されていない等によって「無効」に設定されている場合（６０２でＮＯ）には、続いて、ＩＰファクシミリ機能が「有効」となっているかを判断する（６０７）。
【０１１９】
ＩＰファクシミリ機能が「有効」となっていない場合（６０７でＮＯ）には、本フローチャートの処理を終了する。また、ＩＰファクシミリ機能が「有効」となっている場合（６０７でＹＥＳ）には、ジョブ記憶部に記憶された処理対象データの宛先となるファクシミリ装置がＩＰファクシミリ装置であるかＩＰファクシミリ装置であるかを解析する（６０８）。
【０１２０】
この解析処理の結果、ＰＳＴＮファクシミリ装置を宛先とする処理対象データがジョブ記憶部に記憶されているかを判断し（６０９）、ＰＳＴＮファクシミリ装置を宛先とする処理対象データが記憶されている場合（６０９でＹＥＳ）には、ＩＰファクシミリ機能を用いてＩＰ通信網を介したＩＰファクシミリ送信を行なうリカバリ処理を行なう（６０４）。そして、以降、上記と同様の処理を行なう。
【０１２１】
また、ＩＰファクシミリ装置を宛先とする処理対象データが記憶されていない場合（６０９でＮＯ）には、ＩＰファクシミリ機能およびＰＳＴＮファクシミリ機能のいずれのファクシミリ機能を実行することなく本フローチャートの処理を終了する。
【０１２２】
以上に示す実施の形態は、本発明の実施の一形態であって、これらの実施例に限定することなく、その要旨を変更しない範囲内で適宜変形して実施できるものである。
【０１２３】
なお、本発明は、通信機能を備えた画像形成システムで上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行する画像形成システムを構成することも可能である。画像形成システムを構成するコンピュータは、システムバスを介してＣＰＵ（Central Processor Unit）、ＲＯＭ（Read Only Memory）、ＲＡＭ（Random Access Memory）、ハードディスクが接続されている。ＣＰＵは、ＲＯＭまたはハードディスクに記憶されているプログラムに従い、ＲＡＭを作業領域にして処理を行う。
【０１２４】
また、プログラムを供給するための媒体は、通信媒体（通信回線、通信システムのように一時的または流動的にプログラムを保持する媒体）でもよい。例えば、通信ネットワークの電子掲示板（ＢＢＳ：Bulletin Board Service）に該プログラムを掲示し、これを通信回線を介して配信するようにしてもよい。
【符号の説明】
【０１２５】
１０        受信部
１１        ジョブ判断制御部
１２        読取部
１３        ユーザインターフェース
１４        ジョブ記憶部１４、
１５        ＰＳＴＮファクシミリ送信部
１６        リカバリ処理部
１７        通信可否判定部
１８        設定部
１９        ＩＰファクシミリ送信部
２０        予約制御部
１００      ＩＰ＆公衆交換電話網ファクシミリ装置（ＦｏＩＰ＆ＰＳＴＮ−ＦＡＸ）
２００      ＩＰ通信網
２００−１、２００−２  ＩＰファクシミリ装置（ＦｏＩＰ−ＦＡＸ）
３００      公衆交換電話網
３００−１、３００−２  公衆交換電話網ファクシミリ装置
【図１】
0005483075.tif 000002
【図２】
0005483075.tif 000003
【図３】
0005483075.tif 000004
【図４】
0005483075.tif 000005
【図５】
0005483075.tif 000006
【図６】
0005483075.tif 000007